(57)【要約】【課題】血圧計用小型エアーポンプの部品点数を少なくし、且つ、測定時間の短縮を図る。【解決手段】血圧計用小型エアーポンプ１の上部に、ポンプ室２の外郭を構成する円筒型のポンプケース３を設け、該ポンプケース３に前記ポンプ室２内へ気体を吸引する気体吸引口４とその吸引した気体をエアーパック８に供給する吸気供給口５並びに該エアーパック８から排出される気体を前記ポンプ室２に導出するための排気導出口６とその導出排気を該ポンプ室２外へ排出する排気排出口７とを配設し、該ポンプ室２内に、ポンプ室２下方のケースに収納されたモータで駆動される駆動回転軸１１に回転羽根１２を取付けてロータリ式ポンプ１３を構成し、該ロータリ式ポンプ１３は、前記モータにより高速順回転されて気体を吸引し前記エアーパック８へ供給し、他方、前記モータにより低速逆回転されて、前記エアーパック８からの排気を導出し排出するように構成されている血圧計用小型エアーポンプ１を提供する。【選択図】図１
2005098195.tif 000002
【特許請求の範囲】
【請求項１】
血圧計用小型エアーポンプの上部に、ポンプ室の外郭を構成する円筒型のポンプケースを設け、該ポンプケースに前記ポンプ室内へ気体を吸引する気体吸引口とその吸引した気体をエアーパックに供給する吸気供給口並びに該エアーパックから排出される気体を前記ポンプ室に導出するための排気導出口とその導出排気を該ポンプ室外へ排出する排気排出口とを配設し、該ポンプ室内に、ポンプ室下方のケースに収納されたモータで駆動される駆動回転軸に回転羽根を取付けてロータリ式ポンプを構成し、該ロータリ式ポンプは、前記モータにより高速順回転されて気体を吸引し前記エアーパックへ供給し、他方、前記モータにより低速逆回転されて、前記エアーパックからの排気を導出し排出するように構成されていることを特徴とする血圧計用小型エアーポンプ。
【請求項２】
上記排気排出口近傍にセンサを設置してなることを特徴とする請求項１記載の血圧計用小型エアーポンプ。
【請求項３】
上記エアーパックと上記ポンプ室間の上記排気導出口の近傍にセンサを設置してなることを特徴とする請求項１記載の血圧計用小型エアーポンプ。
【請求項４】
上記気体吸引口と気体供給口とは上記ポンプケースに同一高さ位置にして配設し、他方上記排気導出口と排気排出口とは前記ポンプケースに同一高さ位置にして配設するとともに、前記気体吸引口及び気体供給口の設置高さ位置は、前記排気導出口及び排気排出口の設置位置と、所要の高さ分レベル位置を別異にしてなることを特徴とする請求項１，２，又は３記載の血圧計用小型エアーポンプ。
【請求項５】
上記気体吸引口と気体供給口とは相対向させて配設され、他方、上記排気導出口と排気排出口とは相対向させて配設されてなり、且つ、前記気体吸引口と気体供給口に対して前記排気導出口と排気排出口はそれぞれ９０度位相を変えて配設されていることを特徴とする請求項１，２，３，又は４記載の血圧計用小型エアーポンプ。
【請求項６】
上記気体吸引口及び気体供給口並びに上記排気導出口及び排気排出口は、それぞれの所定の流れ方向に対して逆流を防止するための逆止弁を付設してなることを特徴とする請求項１，２，３，４，又は５記載の血圧計用小型エアーポンプ。
【発明の詳細な説明】
【技術分野】
【０００１】
本発明は、血圧計用小型エアーポンプに関するもので、特に、小型血圧計に用いられ、ロータリ式ポンプを使い、部品点数を少なくした小型血圧計用小型エアーポンプに関するものである。
【背景技術】
【０００２】
近時、高齢化社会を迎え、又、血圧に関する健康上の配慮が高まり、血圧の自己管理の要請がますます重視されてきている。その結果、一般家庭用においても、自家用血圧計が幅広く用いられるようになってきているのが現状である。このような家庭で用いられる血圧計の一つの形式として、手首血圧計がある。
従来この種の手首血圧計における小型エアーポンプは、モータ付きエアーポンプ、供給調整排気バルブ、ソレノイドの３点で構成されており、そのエアーポンプはダイヤフラム式のポンプで構成されている。即ち、従来例の一つである特許文献１に記載された小型ポンプでは、複数のポンプ室を形成する複数のダイヤフラムを備え、偏心回転軸によって揺動される揺動体によって前記ダイヤフラムが上下動してポンプ動作を行うものである。
【０００３】
また、この特許文献１に記載された発明の改良を目的として提供された特願２００３−１１０５７１号出願（本件出願人の特許出願にかかる）の明細書に記載された発明も、同様に、偏心回転軸によって揺動される揺動体によって複数のダイヤフラムが上下動して収縮と膨張を繰り返してポンプ動作を行ない、外気を吸引して供給するものである。
【０００４】
【特許文献１】特開２００２−１０６４７１号公報
【発明の開示】
【発明が解決しようとする課題】
【０００５】
しかしながら、従来から使用されている血圧計用ダイヤフラム型の小型エアーポンプは、機構が複雑で部品点数が多くて、家庭用小型血圧計において要請される小型化軽量化の趣旨に適合しないという虞があった。
【０００６】
また従来の血圧計用ダイヤフラム型小型エアーポンプにおいては、血圧計の圧迫用空気袋の排気を行う際に、センサの指示により、強制的に排気を行うことは難しく、血圧測定時間の短縮が望めないというデメリットが存在していた。
【０００７】
そこで、血圧計用小型エアーポンプの部品点数を少なくし、且つ、測定時間の短縮を図るために解決すべき技術的課題が生じてくるのであり、本発明はこの課題を解決することを目的とする。
【課題を解決するための手段】
【０００８】
本発明は前記目的を達成するために提案されたものであり、請求項１記載の発明は、血圧計用小型エアーポンプの上部に、ポンプ室の外郭を構成する円筒型のポンプケースを設け、該ポンプケースに前記ポンプ室内へ気体を吸引する気体吸引口とその吸引した気体をエアーパックに供給する吸気供給口並びに該エアーパックから排出される気体を前記ポンプ室に導出するための排気導出口とその導出排気を該ポンプ室外へ排出する排気排出口とを配設し、該ポンプ室内に、ポンプ室下方のケースに収納されたモータで駆動される駆動回転軸に回転羽根を取付けてロータリ式ポンプを構成し、該ロータリ式ポンプは、前記モータにより高速順回転されて気体を吸引し前記エアーパックへ供給し、他方、前記モータにより低速逆回転されて、前記エアーパックからの排気を導出し排出するように構成されている血圧計用小型エアーポンプを提供する。
【０００９】
この請求項１記載の発明は、前記のとおりポンプとして従来例のダイヤフラム式ポンプに代えてロータリ式ポンプを採用しているので使用する部品点数が少なくて済み、簡易にしてコンパクトな構成とすることができ、且つ、このような小型エアーポンプに圧迫用空気袋としてエアーパックを取付けることにより、軽量小型で、且つ、携帯性に優れた血圧計を得ることができる。
【００１０】
また、請求項２記載の発明は、上記排気排出口近傍にセンサを設置してなる請求項１記載の血圧計用小型エアーポンプを提供する。
【００１１】
この請求項２記載の発明は、前記排気排出口の排出側の先端にセンサを設置したので、センサの指示により排気の排出を強制的に行うことができるという利点がある。
【００１２】
そして、請求項３記載の発明は、上記エアーパックと上記ポンプ室間の上記排気導出口の近傍にセンサを設置してなる請求項１記載の血圧計用小型エアーポンプを提供する。
【００１３】
この請求項３記載の発明は、上記エアーパックと上記ポンプ室間の上記排気導出口の近傍にセンサを設置してあるから、前記請求項１又は２記載の発明の作用に加えて、該エアーパックと該ポンプ室間のスペースを有効に利用してセンサを設置することができ、外付けすることなく既存の空間を利用し全体をコンパクトに構成することができるという利点がある。
【００１４】
さらに、本発明の請求項４記載の発明は、上記気体吸引口と気体供給口とは上記ポンプケースに同一高さ位置にして配設し、他方、上記排気導出口と排気排出口とは前記ポンプケースに同一高さ位置にして配設するとともに、前記気体吸引口及び気体供給口の設置高さ位置は、前記排気導出口及び排気排出口の設置位置と、所要の高さ分レベル位置を別異にしてなる請求項１，２，又は３記載の血圧計用小型エアーポンプを提供する。
【００１５】
この請求項４記載の発明においては、前記のとおり気体供給にかかる気体吸引口と気体供給口を同一高さとなし、他方、排気にかかる排気導出口と排気排出口とは同一高さとしたので、吸気若しくは排気におけるそれぞれの気体の流れを同一レベルで効果的に誘導し、他面、気体供給にかかる気体吸引口及び吸気供給口の設置位置は、排気にかかる排気導出口及び排気排出口の設置位置とは所要の高さ分レベル位置を別異にしているから、吸気供給における気体流と排気排出における気体流とが相互に干渉し合うことがないという利点がある。
【００１６】
そしてさらに、請求項５記載の発明は、上記気体吸引口と気体供給口とは相対向させて配設され、他方、上記排気導出口と排気排出口とは相対向させて配設されてなり、且つ、前記気体吸引口と気体供給口に対して前記排気導出口と排気排出口はそれぞれ９０度位相を変えて配設されている請求項１，２，３，又は４記載の血圧計用小型エアーポンプを提供する。
【００１７】
この請求項５記載の発明は、前記のとおり気体吸引口と吸気供給口とを、相対向させて円筒型ポンプケースに配置し、また排気導出口と排気排出口とを相対向させて円筒型ポンプケースに配置したので、夫々の気体流の慣性を利用して、気体吸引及び該吸引気体の供給並びに排気の導出及び該導出排気の排出の各機能を円滑に行うことができ、且つ、前記気体吸引口及び気体供給口に対して前記排気導出口及び排気排出口はそれぞれ９０度位相を変えて配設されているので、夫々の気体流が相互に干渉することを防止することができるという機能上の利点を有する。
【００１８】
さらにまた、請求項６記載の発明は、上記気体吸引口及び気体供給口並びに上記排気導出口及び排気排出口は、それぞれの所定の流れ方向に対して逆流を防止するための逆止弁を付設してなる請求項１，２，３，４，又は５記載の血圧計用小型エアーポンプを提供する。
【００１９】
本請求項６記載の発明は、前記のとおり気体吸引口、吸気供給口、排気導出口、排気排出口にはそれぞれ逆止弁を付設しているので、それぞれの所定の流れと反対方向の逆流を阻止することができ血圧計の安全性を高めるという利点がある。
【発明の効果】
【００２０】
本発明の請求項１記載の発明は、小型エアーポンプにおいて、モータポンプとしてダイヤフラム式に代えてロータリ式のポンプを使用したので、部品点数が少なくて済み構成を単純化することができ、全体として製品の小型化と軽量化に資しコストダウンが図られる。
【００２１】
又、請求項１記載の発明は、小型エアーポンプに圧迫用空気袋としてエアーパックを取付けることにより、軽量小型で、且つ、携帯性に優れた血圧計を得ることができる。
【００２２】
更に、請求項１記載の発明は、上記ロータリ式ポンプを、気体を吸引し該吸引した気体を上記エアーパックへ供給する時は、上記モータを高速順回転させ、他方、前記エアーパックからの排気を導出し該導出した排気を排出する時には、該モータを低速逆回転させるので、同一のロータリ式ポンプを吸気、排気何れにも共用することができエアーポンプの機能を十分生かし使用上の便宜を高めることができる。
【００２３】
更に又、請求項２記載の発明は、請求項１記載の発明の効果に加えて、エアーパックからの排気をセンサの指示により強制的に遂行する機能をもっているので、血圧の計測時間を短縮することができ作業効率が増大する。
【００２４】
そして、請求項３記載の発明は、上記エアーパックと上記ポンプ室間の上記排気導出口の近傍にセンサを設置しているので、請求項１又は２記載の発明の効果に加えて、該エアーパックと該ポンプ室間をつなぐ上記排気導出パイプのスペースを有効に利用してよりコンパクトに血圧計用小型エアーポンプを構成することができる。即ち、この請求項３記載の発明は、別途センサを外付けすることなく、既存のスペースを利用してモータポンプ、センサ、センサ指示により応動する弁類がよりコンパクトに一体化されるので、全体として統一のとれた機能性を保持し、場所や空間を節約し小型化に資するというメリットを有する。
【００２５】
又、請求項４記載の発明は、上記気体吸引口と気体供給口とは上記ポンプケースに同一高さ位置にして配設し、他方、上記排気導出口と排気排出口とは前記ポンプケースに同一高さ位置にして配設したので、気体を吸引し、供給する時の流れ、並びに排気を導出し、排出する時の流れの夫々を同一高さ位置として気体流の損失を少なくして円滑な流通を促進させることができ、且つ、前記気体吸引口及び気体供給口の設置高さ位置は、前記排気導出口及び排気排出口の設置位置と、所要の高さ分レベル位置を別異にしているので、気体を吸引して供給する時の流れと排気を導出して排出する時の流れとが相互に干渉し合うことを防止することができる。
【００２６】
更に、請求項５記載の発明は、上記気体吸引口と気体供給口とは相対向させて配設され、他方、上記排気導出口と排気排出口とは相対向させて配設されているので、気体の吸引及び供給の流れ、並びに排気の導出及び排出の流れのそれぞれの気体流の慣性を利用して円滑な気体の流通を促進することができ、且つ、前記気体吸引口と気体供給口に対して前記排気導出口と排気排出口はそれぞれ９０度位相を変えて配設されているので、気体の吸引、供給の流れと排気の導出、排出の流れとは、相互に干渉し合うことがなく夫々気体の流通が円滑に行われる。
【００２７】
更に又、請求項６記載の発明は、上記気体吸引口及び気体供給口並びに上記排気導出口及び排気排出口は、それぞれの所定の流れ方向に対して逆流を防止するための逆止弁を付設しているので、各所定の流れに逆らってくる流れを事前に阻止することができて、血圧計を安全に稼動させることができる。
【発明を実施するための最良の形態】
【００２８】
血圧計用小型エアーポンプの部品点数を少なくするという目的を、血圧計用小型エアーポンプの上部のポンプ室内に、モータで駆動される駆動回転軸に回転羽根を取付けてロータリ式ポンプを構成し、該ロータリ式ポンプは、前記モータにより高速順回転されて気体を吸引しエアーパックへ供給し、他方、前記モータにより低速逆回転されて、前記エアーパックからの排気を導出し排出するように構成することによって実現した。
【実施例１】
【００２９】
以下、本発明につき、一実施の形態を図面に従って詳細に説明する。図１は本発明の一実施の形態に関する血圧計用小型エアーポンプ１を示すもので、図において、２はポンプ室であり、３は該ポンプ室２の外郭を構成する円筒型ポンプケースであり、該円筒型ポンプケース３に外気を吸引する気体吸引口４とその吸気をエアーパック８に供給する吸気供給口５が、該円筒型ポンプケース３円周上に相対向する形式で、且つ、同一高さ位置で取付けられている。その際、前記気体吸引口４にはその吸引口の直前の吸気を誘導する気体吸引パイプ４ｐ内に、逆止弁４ｖが設けられており、同様に、前記給気供給口５には、その供給口の直後の吸気供給パイプ５ｐ内に逆止弁５ｖが設けられている。これら両逆止弁４ｖ，５ｖは、主としてそれぞれ逆方向からの気体の流れを阻止するために設けられているものである。
【００３０】
そして、前記円筒型ポンプケース３には、前記エアーパック８から排出される気体をポンプ室２に導出する排気導出口６とその導出排気をポンプ室２外へ排出する排気排出口７がポンプケース円周上に相対向して配置されているとともに、これ等排気導出口６及び排気排出口７は、前記気体吸引口４及び吸気供給口５とはそれぞれ位相を９０度変えて配置している。さらに、図２に示す如く、前記気体導出口６及び排気排出口７は、前記気体吸引口４及び吸気供給口５の設置位置とは、所要の高さＨ分レベル位置を別異にして取付けられている。そして、前記排気導出口６には、該導出口６の直前の排気導出パイプ６ｐ内に逆止弁６ｖが設けられており、同様に排気排出口７には、該排出口７の直後の排気排出パイプ７ｐ内に逆止弁７ｖが設けられている。これ等二つの逆止弁６ｖ、７ｖも、前記逆止弁４ｖ、５ｖと同様夫々逆方向からの流れを阻止するために付設されたものである。
【００３１】
そしてまた、前記円筒型ポンプケース３内のポンプ室２には、図１及び図３に示す如く、下方のケース９に収納されたモータ１０で駆動される駆動回転軸１１に複数の羽根を有する回転羽根１２を取付けてロータリ式ポンプ１３を構成している。そして、この血圧計用小型エアーポンプの回転稼動部である前記ロータリ式ポンプ１３は気体を吸引し、吸引した気体の前記エアーパック８への供給時には前記モータ１０を高速順回転させ、他方、前記エアーパック８から排気を導出し、該導出した排気の排出時には該モータを低速逆回転させるものである。
【００３２】
さらにまた、本発明の血圧計用小型エアーポンプ１は、前記排気排出口７の近傍に、即ち、排気排出口７に付設された逆止弁７ｖの下流側に、センサ１４が設置されている。そして、該センサ１４は、前記排気排出口７の近傍に設置する以外に、前記エアーパック８と前記ポンプ室２間の前記排気導出口６の近傍に設置してもよい。
【００３３】
本発明は前述のとおり、前記ロータリ式ポンプ１３は、外気を吸引して前記エアーパック８に吸気を供給する場合、即ち、加圧時には、前記ロータリ式ポンプ１３により吸気を多く供給することができるように、即ち、吸気による前記エアーパック８の加圧が容易に遂行されるように、回転羽根１０が順方向に回転し、しかも高速度で回転される。その際、前記気体吸引口４と吸気供給口５とはポンプケース３円周上に相対向し、且つ、同一高さ位置に存在するから効率的に吸気が前記エアーパック８に供給されるようになっている。
【００３４】
他方、該エアーパック８からの排気を導出する時、即ち、該エアーパック８の減圧時には前記ロータリ式ポンプ１３を逆方向に回転させ、しかも気体吸引供給時における順回転よりも緩やかに回転させるものである。これは、血圧計において前記エアーパック８の如き圧迫用空気袋から空気を抜くときは低い方の血圧を測る都合上、徐々に抜くので減圧時のポンプの回転は、緩やかに回転することを要するものである。なお、該エアーパック８からの排気の導出、排気の排出の際にも、前記排気導出口６と排気排出口７とは円筒型ポンプケース３の円周上に相対向し、同一高さ位置に配置されており、導出された排気を効率よく外部に排出することができる。
【００３５】
なお、このような排気排出にかかる緩和された逆回転時における排気導出口６及び排気排出口７は、気体吸引口４及び吸気供給口５とは、前記のとおり所要の高さＨの分だけレベル位置を別異にしてある。これは、吸気の供給にかかる加圧時の吸気供給の流れと排気の導出、排気の排出にかかる減圧時における排気排出の流れとが相互に干渉し合うことを防止するためである。
【００３６】
また、気体供給口５における逆止弁即ち吸気供給パイプ５ｐ内に付設した逆止弁５ｖは、単に逆止弁であることの外、前記ロータリ式ポンプ１３が順方向に回転して吸気を供給する流れにおいても、一定の吐き出し力がないと開かないように構成してある。これは、気体を吸引し、吸気を供給する加圧時と排気を導出し、排気を排出する減圧時とで逆止弁の方向を反対にしてあることの外、排気時の不用意な排気が吸気供給口５になされようとしても、これを阻止するようにするためである。
【００３７】
他方、前記排気導出口６における逆止弁、即ち、排気導出パイプ６ｐ内に付設した逆止弁６ｖは、逆流防止には十分機能するが、排気を導出する順方向の流れに対しては弱い力でも開放するように構成されている。これは、緩和された減圧時における排気の場合にも十分排出機能を発揮し排気による減圧効果の効率を挙げるためである。
【００３８】
また、本発明においては、排気排出口７の近傍には、センサ１４が設置されているから、前記エアーパック８からの排気を該センサ１４の指示によって強制的に行うことができ、血圧測定時間の短縮化が図られるという効果がもたらされる。
【００３９】
なお、センサ１４は、排気排出口７の近傍以外に設置してもよく、例えば、前記エアーパック８とポンプ室２との間にある前記排気導出口６の近傍の逆止弁６ｖ下流側に設置しても構わない。斯様にすることにより、前記エアーパック８と前記ポンプ室２の間に既に存在する排気導出パイプ６ｐの空間を利用してスペースを節約しながら簡易コンパクトに血圧計用小型エアーポンプを構成することができる。
【００４０】
このように、本発明においては、一つのロータリ式ポンプを使用して、気体吸引、吸気供給にかかるエアーパックの加圧時と、排気導出、排気排出にかかるエアーパックの減圧時における各操作を単にモータの回転方向を順回転方向か逆回転方向かにし、回転速度を変えるのみで足り、装置の構成を簡易にし、部品点数を少なくすることができるという効果を奏する。
【００４１】
尚、本発明は、本発明の精神を逸脱しない限り種々の改変を行うことができ、そして、本発明が該改変されたものに及ぶことは当然である。
【図面の簡単な説明】
【００４２】
【図１】本発明の一実施の形態を示し、血圧計用小型エアーポンプの一部切欠平面図。
【図２】図１に示すポンプ室の正面図。
【図３】本発明の一実施の形態を示し、血圧計用小型エアーポンプの正面図。
【符号の説明】
【００４３】
１    血圧計用小型エアーポンプ
２    ポンプ室
３    円筒型ポンプケース
４    気体吸引口
４ｐ  気体吸引パイプ
４ｖ  気体吸引パイプ内に付設した逆止弁
５    吸気供給口
５ｐ  吸気供給パイプ
５ｖ  吸気供給パイプ内に付設した逆止弁
６    排気導出口
６ｐ  排気導出パイプ
６ｖ  排気導出パイプ内に付設した逆止弁
７    排気排出口
７ｐ  排気排出パイプ
７ｖ  排気排出パイプ内に付設した逆止弁
８    エアーパック
９    下方のケース
１０  モータ
１１  駆動回転軸
１２  回転羽根
１３  ロータリ式ポンプ
１４  センサ
【図１】
2005098195.tif 000003
【図２】
2005098195.tif 000004
【図３】
2005098195.tif 000005